(57)【要約】ドライバービットを挿入して磁化させることで、ビットの先端に鉄製だけでなく、ステンレス製の固定具も磁着できる固定具用磁着補助具、それを用いた電動式ドライバーを提供する。複数の永久磁石（２１）を、中央に中空貫通孔（１３）が形成されるように、隣接する永久磁石（２１）の同一極性の端部同士を、隙間なく束状に接合させて、花弁状の筒状体を構成した基本構造をなしており、望ましい実施例では、複数の永久磁石（２１）のそれぞれは、中空貫通孔（１３）と反対の端面に、クッション材（２２）を介在させている。
2016027807.tif 000002
【特許請求の範囲】
【請求項１】
複数の永久磁石を、中央に中空貫通孔が形成されるように、隣接する永久磁石の同一極性の端部同士を、隙間なく束状に接合させて、花弁状の筒状体を構成している、固定具用磁着補助具。
【請求項２】
請求項１において、  前記複数の永久磁石のそれぞれは、中空貫通孔と反対の端面に、クッション材を介在させている、固定具用磁着補助具。
【請求項３】
請求項１または２において、  前記複数の永久磁石は、前記中空貫通孔に挿嵌されるドライバービットの軸線に対して、磁力線が先端に向う傾斜角度をもって、磁化方向を規定している、固定具用磁着補助具。
【請求項４】
請求項１〜３のいずれかにおいて、  前記複数の永久磁石は、それらの外周に、前記中空貫通孔の貫通方向に沿って磁極を揃えた補助永久磁石を付設している、固定具用磁着補助具。
【請求項５】
請求項１〜４のいずれかにおいて、  前記花弁状の筒状体は、正ｎ角形の形状をしている、固定具用磁着補助具。
【請求項６】
請求項１〜５のいずれかにおいて、  前記永久磁石は、隣接する側面に面取接合面を形成している、固定具用磁着補助具。
【請求項７】
請求項１〜６のいずれかにおいて、  前記固定具は、ステンレス製のビスなどの固定具である、固定具用磁着補助具。
【請求項８】
請求項１〜７のいずれかの項に記載の固定具用磁着補助具を、ドライバービットに装着した電動式ドライバー。 
【発明の詳細な説明】
【技術分野】
【０００１】  本発明は、ドライバービットなどを挿脱して磁化することで、その先端に鉄、ステンレスの固定具を吸着させるための固定具用磁着補助具、その磁着補助具を用いた電動式ドライバーに関する。
【背景技術】
【０００２】  従来の固定具用磁着補助具として、たとえば、下記特許文献１に記載されたものがある。【０００３】  この補助具は、ネオジウム磁石を２個の半リング状に形成して、両磁石間にスペースを設けてリング状に配されており、中央の空間（中空貫通孔）にドライバービットを差し込んで、その軸部を磁化する構成となっており、ドライバービットの先端にビス等の回転式の固定具を吸着して保持するようにしたものである。
【先行技術文献】
【特許文献】
【０００４】
【特許文献１】特開２００４−１４１９８６号公報
【発明の概要】
【発明が解決しようとする課題】
【０００５】  しかしながら、上記文献のものは、鉄製のビスなどの固定具を取り付けに使用するもので、電動式ドライバービットの先端に、ステンレス製のビスなどの固定具を吸着して保持する程度の強い磁力を得ることはできない。【０００６】  特に近時においては、鉄などの固定具は、錆びて腐食するため、屋外の建築物などには向かず、ステンレス製のビスなどが使用されることが多くなっており、ステンレス製のビスも、鉄製のビスと同じように、電動式ドライバービットの先端に吸着して保持できるような補助具の開発が望まれている。【０００７】  本発明は、このような事情を考慮して提案されたもので、その目的は、ドライバービットの先端を強力に磁化して、ステンレス製の固定具でも磁着することのできる固定具用磁着補助具を提供することにある。
【課題を解決するための手段】
【０００８】  上記目的を達成するために、本発明の固定具用磁着補助具は、複数の永久磁石を、中央に中空貫通孔が形成されるように、隣接する永久磁石の同一極性の端部同士を、隙間なく束状に接合させて、花弁状の筒状体を構成したことを特徴とする。【０００９】  このような本発明では、複数の永久磁石のそれぞれの中空貫通孔と反対の端面に、クッション材を介在させたものとしてもよい。【００１０】  さらに、複数の永久磁石は、さらに大きい磁力を得るために、中空貫通孔に挿嵌されるドライバービットの軸線に対して、磁力線が先端に向う傾斜角度をもって、磁化方向を規定したものでもよく、本発明者は、このような構造も同時に提案している。【００１１】  また、複数の永久磁石は、それらの外周に、中空貫通孔の貫通方向に沿って補助永久磁石を付設することで更に磁力をアップさせる構成としてもよい。【００１２】  さらに、花弁状の筒状体は、正ｎ角形の形状をなしたものとしてもよい。【００１３】  さらに、永久磁石は、磁石間の隣接する側面に面取接合面が形成されたものとしてもよい。【００１４】  また、本発明の電動式ドライバーは、請求１〜７のいずれかの項に記載の固定具用磁着補助具を、ドライバービットに装着した構成となっている。
【発明の効果】
【００１５】  本発明の固定具用磁着補助具によれば、上述した構成となっているため、永久磁石を束ねた構造体の磁束の漏れは殆どなくなり、ドライバービットの挿入される中空貫通孔に磁束を集中させることができる。このため、中空貫通孔に挿入されたドライバービット先端にも大量の磁力線が集めることができ、そのため、ステンレス製のビスなどの固定具を磁着させることができる。
【図面の簡単な説明】
【００１６】
【図１】（ａ）は本発明の一実施形態に係る固定具用磁着補助具の外観を示す斜視図、（ｂ）は同側面図である。
【図２】（ａ）は図１（ｂ）のＡ−Ａ線に対応した断面図、（ｂ）は図２（ａ）のＢ−Ｂ線に対応した、図１（ａ）の固定具用磁着補助具の断面図である。
【図３】固定具用磁着補助具の使用要領、ドライバービットが挿嵌され、先端にビスを磁着させた状態を表した縦断面図である。
【図４】固定具用磁着補助具にドライバービットが挿嵌されたときの磁束分布を示す図である。
【図５】（ａ）、（ｂ）は固定具用磁着補助具に用いられる永久磁石の模式説明図であり、（ａ）は永久磁石の磁化方向をドライバービットの軸線に対して直交、９０度に向けた模式図、（ｂ）は９０度より小さい傾きＷをもって向けた模式図である。
【図６】は固定具用磁着補助具に用いられる補助永久磁石の模式説明図である。
【図７】（ａ）〜(ｅ)は、固定具用磁着補助具の永久磁石の配置例を示す模式図である。
【発明を実施するための形態】
【００１７】  以下に、本発明の実施の形態について、添付図面を参照しながら説明する。
【００１８】  固定具用磁着補助具１（以下、磁着補助具１という）は、複数の永久磁石２１を花弁状に配置させて筒状体に構成したものであり、永久磁石２１の中央には中空貫通孔１３が形成されるように、隣接する永久磁石２１の同一極性の端部同士を、隙間なく束状に接合させた構造をなしている。
【００１９】  永久磁石２１と中空貫通孔１３との関係は、図２（ａ）に示したものの他に、図７のような形態が可能であり、中央の中空貫通孔１３は、望ましくは、正ｎ角形を構成しているが、そのような形状には限定されない。
【００２０】  ついで、図１および図２を参照して、磁着補助具１のさらに具体的な構造について説明する。
【００２１】  図１に示した磁着補助具１は、中央に中空貫通孔１３を有した円柱形状とされる（図１（ａ）参照）。図例の中空貫通孔１３は、正六角柱状とされ、円の中心位置に配されている。
【００２２】  この磁着補助具１は、本体ケース１０、永久磁石２１、ゴムなどの弾性材料で構成されたクッション材２２およびヨーク１５を有している。これらのうち、永久磁石２１、クッション材２２およびヨーク１５は図２に見るように、中空貫通孔１３の貫通方向に沿って配されている。
【００２３】  本体ケース１０は、磁着補助具１の円柱形状を概ね形づくる非磁性体の樹脂で製されており、上部に開口を有し、下部に中空貫通孔１３を形成するための六角開口を有した本体１１と、上部の開口を塞ぐ蓋体１２とで構成される。
【００２４】  永久磁石２１は、６個の同一形状のものが花弁の形状を保持するように、本体ケース１０の本体１１内に樹脂材料１６を充填している。個々の永久磁石２１の横断面形状は、図２（ａ）に示すように、矩形と等脚台形とを組み合わせてなる六角形状になっている。また、極性の配置も永久磁石２１間で同一であり、本図例のものは、中空貫通孔１３側がＮ極となるように配列しているが、Ｓ極、Ｎ極を逆配置としてもよい。
【００２５】  ６個の永久磁石２１は、隣設された永久磁石２１の間が隙間を形成しないようにして、図例では、等脚台形の脚辺どうしが接するように、つまり脚辺に相当する両面を面取接合面２５として、これらを相互に密着させるようにして花弁状に配列されている。
【００２６】  また、複数の永久磁石２１のそれぞれにおける中空貫通孔１３と反対の端面には、クッション材２２が配設されており、これによって、中空貫通孔１３に挿入されるビット径に多少の大小があっても、その誤差を吸収して、隙間を生じないようになっている。
【００２７】  本体ケース１０の本体１１内では、６個の永久磁石２１が同一磁極が向き合うように配列されているので、同一極性どうしの反発力を生じる。そのため、永久磁石２１は、花弁の形状を崩さないように本体１１内には樹脂材料１６を充填して強固に拘束されている。
【００２８】  ついで、図３および図４を参照して、磁着補助具１の使用要領について説明する。
【００２９】  複数の永久磁石２１は、それぞれの磁化の向きを矢印で示すように、中空貫通孔１３に挿入されるドライバービット４０の軸線４３（図３参照）に対して先端４１に向かうように、傾斜させて磁化させているが、このような構成は後述するように、本発明の必須の構成ではない。
【００３０】  一般的に、ステンレス製のビスなどの固定具は磁化できないために、磁着させることはできないが、ステンレスのうちでも、オーステナイト系（ＳＵＳ３０４）のものは、通常時は非磁性材料であるが、大きい負荷を加えて変形させた場合には、マルテンサイトに変態して磁化させることができることが知られており、本発明者は、通常の建築物に使用されているＳＵＳ３０４のステンレス製のビスなどは、その頭部にドライバービット４０の先端４１を嵌め入れる挿入溝を形成する工程で、すでに、そのような変態を生じていることを知得して、本発明に到達している。
【００３１】  本磁着補助具１では、図３に示したように、その中空貫通孔１３に、強磁性体よりなるドライバービット４０が挿入されると、ドライバービット４０は磁化されて、ステンレス製のビスなどのステンレス固定具４５の頭部４６に形成されたビット挿入溝４８をドライバービット４０の先端４１に近づけると、ステンレス製のビス４５を吸着させることができる。なお、図３の符号４７はビス４５の軸部である。
【００３２】  図４に示したように、磁着補助具１にドライバービット４０が差し込まれた状態では、２点鎖線で図示したような磁力線３２が放射される磁場が形成される。なお、図３、図４には、磁極間を結ぶ軸線に沿った磁力線３１を磁力線３２とは区別して図示した。
【００３３】  すなわち、中空貫通孔１３にドライバービット４０が挿嵌された状態では、６個の永久磁石２１の磁束が中空貫通孔１３に集中してドライバービット４０に入り込み、さらにドライバービット４０に入った磁束は、先端に向けて磁着補助具１のヨーク１５の先端側に入り込む磁束ループと、基端側に入り込んで磁着補助具１のヨーク１５の後端に入り込む磁束ループを構成するので、このときドライバービット４０の先端４１に多くの磁力線３２を導くことができれば、その先端４１には、鉄製だけでなく、ステンレス製のビスでも磁着させる強い磁力を作用させることができる。
【００３４】  本発明は、複数の永久磁石を上述したように、隙間なく束状に接合させて、中央に中空貫通孔を形成して、花弁状の筒状体を構成する基本構造によって、それぞれの永久磁石から放射される磁束を中空貫通孔に集中させて強い磁場を形成するので、ドライバービット４０を磁化して、ドライバービット４０の先端４１に、ステンレス製のビスなどのステンレス固定具４５を吸着させることができたが、本発明者がさらに検討を加えたところ、永久磁石２１からドライバービット４０に入り込む磁束を、ドライバービット４０の基端４２側よりも先端４１側に向かう磁束が多くなるように偏らせれば（図３、図４の磁力線３１の方向を参照）、ドライバービット４０の先端４１にはより強い磁束密度が得られることを知得した。
【００３５】  本発明者が提案する、磁束をドライバービット４０の先端４１側に偏らせる第一の形態は、花弁状の筒状体を構成する、永久磁石２１のそれぞれの磁化の向きを、中空部貫通孔１３に挿入されるドライバービット４０の先端側に向けたもので、このような構造は、永久磁石２１の磁化の向きを、ドライバービット４０の軸線４３に対して、角度を持たせることで容易に実施できる。
【００３６】  図５は、永久磁石２１の磁化の方向を示したもので、図５（ａ）は、ドライバービット４０の軸線４３に対して、垂直、すなわち９０度にしたもの、これに対して、図５（ｂ）は、永久磁石２１の磁化の方向をドライバービット４０の軸線４３に対して、Ｗだけ傾斜して着磁させたものを模式的に示している。
【００３７】  図５（ａ）のものは、永久磁石２１の磁化の方向が、ドライバービット４０の軸線４３に対して、垂直、つまり９０度に設定されているので、この態様では、永久磁石２１のＳ極とＮ極の磁極分岐点３５が中空貫通孔１３の方向に平行となり、永久磁石２１から放射された磁束は、ドライバービット４０の先端４１側、基端４２側に対して偏ることなく入り込んでいる。
【００３８】  図５（ｂ）のものは、永久磁石２１の磁化の方向が、ドライバービット４０の軸線４３に対して、傾斜した角度Ｗに設定したもので、この態様では、永久磁石２１は、Ｓ極とＮ極との境界が中空貫通孔１３の方向に平行となっておらず、ドライバービット４０の先端４１側の磁極分岐点３５がドライバービット４０の表面から遠ざかるように傾斜している。
【００３９】  永久磁石２１から放射された磁束は、ドライバービット４０の先端４１側が基端４２側より多くなっているので、その傾斜角度Ｗを変化させることで、先端４１側により大きな磁束密度が得られる最適値を探ることができる。
【００４０】  また、本発明者の検討によれば、ドライバービット４０の先端４１での磁束の大きさは、Ｓ極とＮ極の境界線の、ドライバービット４０の先端４１側の境界点（磁極分岐点３５）から、Ｎ極側の永久磁石２１の端面までの距離Ｌの長さによって概ね定まることが知見によって得られている。
【００４１】  これによれば、磁極分岐点３５がドライバービット４０の表面から遠い位置にあるほど、ドライバービット４０の先端４１に大きな磁束を集中させることができるので、より厚めの永久磁石２１を用いればドライバービット４０の先端４１で強い磁力が発生する。
【００４２】  また、図５（ｂ）に示した磁化の方向を傾斜させた構成は、磁極分岐点３５をドライバービット４０の表面から遠い位置に設ける手段としても有益である。
【００４３】  また、磁束を偏らせる第二の形態は、図６に示すように、花弁状の筒状体を構成する、永久磁石２１のそれぞれの磁化の向きを、ドライバービット４０の軸線４３に対して傾斜させる構成に加えて、それぞれの永久磁石２１の外周に、中空貫通孔１３の貫通孔の方向に沿って磁極を揃えた補助永久磁石２３を付設することで可能となる。
【００４４】  図６の形態では、複数の補助永久磁石２３は、図示したように、その磁極が中空貫通孔１３の貫通方向の沿って配され、さらにＮ極をドライバービット４０の先端４１側に配するように補助永久磁石２３を配設している。
【００４５】  このような永久磁石２１と補助永久磁石２３との組み合わせによれば、ドライバービット４０の先端４１側の磁極分岐点３５をさらに遠い位置に形成することができ、そのため、ドライバービット４０の先端４１側ではさらに強い磁力が発生する。
【００４６】  図５（ｂ）や図６に示した構成の磁着補助具１では、ドライバービット４０の軸線４３に対して、先端方向に向う傾斜角度Ｗを持った磁力線３１を多く放射するので、厚みを厚くしなくても、ドライバービット４０の先端４１で磁力を強めることができる。
【００４７】  永久磁石２１の磁化方向を、ドライバービット４０の軸線４３に対して、傾斜角度を６０度〜９０度変化させたものについて、ドライバービット４０の先端４１での磁力を計測する試験を行った。永久磁石２１としては、残留磁束密度が高い希土類磁石のネオジウム磁石を用いたが、それぞれは、２００００Ｇの磁束密度で磁化して、５０００Ｇの残留磁気密度が得られたものを、６個束ねて、６面体の花弁状の筒状体として構成したものを使用した。
【００４８】  中空貫通孔１３の出口（永久磁石２１の端部）からドライバービット４０の先端４１までの突出長が１ｍｍ、６ｍｍ、１１ｍｍ、１６ｍｍ、２１ｍｍについて試験を行った。
【００４９】  永久磁石２１からドライバービット４０の先端４１までの突出長は短いほど先端４１での磁力が強くなり、当然に突出長が１ｍｍの場合に高い磁力が発生することが確認できた。操作のしやすさを考慮すれば、上方からドライバービット４０の先端４１方向を見た場合、先端４１が磁着補助具１によって隠れない程度に突出していることが望ましく、そのため突出長が１６ｍｍ程度が必要となる。その場合にはドライバービット４０の先端４１で６０００ガウス程度の磁力を計測でき、突出長が最も長い２１ｍｍの場合でも５０００ガウス程度の磁力が発生することを確認できた。ステンレス固定具４５を磁着するのには十分であった。
【００５０】  また、それぞれの磁場角度Ｗの永久磁石２１にさらに補助永久磁石２３を付けた場合（図６に相当）の試験を行ったが、上記の試験よりもさらに高い磁力が得られた。
【００５１】  以上のように、永久磁石２１として６個のネオジウム磁石を用い、それらを隙間なく花弁状に束ねた磁着補助具１を用いることで、ドライバービット４０の先端４１を強力に磁化できることが確認できた。
【００５２】  ついで、花弁状の筒状体について、図７（ａ）〜（ｅ）を参照しながら説明する。
【００５３】  これらは、中空貫通孔１３として、断面が６角形以外の形状のものを有している。図７（ａ）（ｂ）では中空貫通孔１３が円形、図７（ｃ）では正方形、図７（ｄ）では５角形、図７（ｅ）では長方形となっている。
【００５４】  永久磁石２１としては、図７（ａ）では同一の弧状の３個の永久磁石２１が用いられ、図７（ｂ）では同一の弧状の４個の永久磁石２１が用いられている。また、図７（ｃ）（ｄ）（ｅ）では、図２（ａ）に示した永久磁石２１と同様に、断面が矩形と等脚台形を組み合わせた６角形状のものが用いられている。図７（ｃ）（ｄ）では複数の永久磁石２１が相互に同一形状となっているが、図７（ｅ）では長方形の辺長に対応するように２種の形状の永久磁石２１が用いられている。
【００５５】  図７に示した５種の形状のものも、図２に示したものと同様、隣設された永久磁石２１は面どうしが密着しているため、磁束の漏れは発生しにくく、ドライバービット４０の先端４１（図４参照）に効率よく強い磁力を持たせることができる。
【００５６】  以上に説明した種々の磁着補助具１は、電動式ドライバーなどのドライバービット４０（図３等参照）に取り付けて使用することができる。
【符号の説明】
【００５７】  １          固定具用磁着補助具（磁着補助具）  １０        本体ケース  １１        本体  １２        蓋体  １３        中空貫通孔  １５        ヨーク  １６        樹脂材料  ２１        永久磁石  ２２        クッション材  ２３        補助永久磁石  ２５        面取接合面  ３１        磁力線（磁極間を結ぶ軸線）  ３２        磁力線  ３５        磁極分岐点  ４０        ドライバービット  ４１        ドライバービットの先端  ４２        ドライバービットの基端  ４３        軸線  ４５        ステンレス固定具（ビス）  ４６        頭部  ４７        軸部  ４８        ビット挿入溝  
【図１】
2016027807.tif 000003
【図２】
2016027807.tif 000004
【図３】
2016027807.tif 000005
【図４】
2016027807.tif 000006
【図５】
2016027807.tif 000007
【図６】
2016027807.tif 000008
【図７】
2016027807.tif 000009
【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
複数の永久磁石を、中央に中空貫通孔が形成されるように、隣接する永久磁石の同一極性の端部同士を、隙間なく束状に接合させて、花弁状の筒状体を構成しており、
前記複数の永久磁石は、前記中空貫通孔に挿嵌されるドライバービットの軸線に対して、磁力線が先端に向う傾斜角度をもって磁化方向を規定することで、該ドライバービットの先端側の磁極分岐点が前記ドライバービットの表面から遠ざかるように傾斜している、固定具用磁着補助具。
【請求項２】
請求１において、
前記複数の永久磁石のそれぞれは、中空貫通孔と反対の端面に、クッション材を介在させている、固定具用磁着補助具。
【請求項３】
請求１または２において、
前記複数の永久磁石は、それらの外周に、前記中空貫通孔の貫通方向に沿って磁極を揃えた補助永久磁石を付設している、固定具用磁着補助具。
【請求項４】
請求１〜３のいずれかにおいて、
前記花弁状の筒状体は、正ｎ角形の形状をしている、固定具用磁着補助具。
【請求項５】
請求１〜４のいずれかにおいて、
前記永久磁石は、隣接する側面に面取接合面を形成している、固定具用磁着補助具。
【請求項６】
請求１〜５のいずれかにおいて、
前記固定具は、ステンレス製のビスなどの固定具である、固定具用磁着補助具。
【請求項７】
請求１〜６のいずれかの項に記載の固定具用磁着補助具を、ドライバービットに装着した電動式ドライバー。
【手続補正２】
【補正対象書類名】明細書
【補正対象項目名】全文
【補正方法】変更
【補正の内容】
【発明の詳細な説明】
【技術分野】
【０００１】
本発明は、ドライバービットなどを挿脱して磁化することで、その先端に鉄、ステンレスの固定具を吸着させるための固定具用磁着補助具、その磁着補助具を用いた電動式ドライバーに関する。
【背景技術】
【０００２】
従来の固定具用磁着補助具として、たとえば、下記特許文献１に記載されたものがある。
【０００３】
この補助具は、ネオジウム磁石を２個の半リング状に形成して、両磁石間にスペースを設けてリング状に配されており、中央の空間（中空貫通孔）にドライバービットを差し込んで、その軸部を磁化する構成となっており、ドライバービットの先端にビス等の回転式の固定具を吸着して保持するようにしたものである。
【先行技術文献】
【特許文献】
【０００４】
【特許文献１】特開２００４−１４１９８６号公報
【発明の概要】
【発明が解決しようとする課題】
【０００５】
しかしながら、上記文献のものは、鉄製のビスなどの固定具を取り付けに使用するもので、電動式ドライバービットの先端に、ステンレス製のビスなどの固定具を吸着して保持する程度の強い磁力を得ることはできない。
【０００６】
特に近時においては、鉄などの固定具は、錆びて腐食するため、屋外の建築物などには向かず、ステンレス製のビスなどが使用されることが多くなっており、ステンレス製のビスも、鉄製のビスと同じように、電動式ドライバービットの先端に吸着して保持できるような補助具の開発が望まれている。
【０００７】
本発明は、このような事情を考慮して提案されたもので、その目的は、ドライバービットの先端を強力に磁化して、ステンレス製の固定具でも磁着することのできる固定具用磁着補助具を提供することにある。
【課題を解決するための手段】
【０００８】
上記目的を達成するために、本発明の固定具用磁着補助具は、複数の永久磁石を、中央に中空貫通孔が形成されるように、隣接する永久磁石の同一極性の端部同士を、隙間なく束状に接合させて、花弁状の筒状体を構成しており、複数の永久磁石は、中空貫通孔に挿嵌されるドライバービットの軸線に対して、磁力線が先端に向う傾斜角度をもって磁化方向を規定することで、ドライバービットの先端側の磁極分岐点がドライバービットの表面から遠ざかるように傾斜していることを特徴とする。
【０００９】
このような本発明では、複数の永久磁石のそれぞれの中空貫通孔と反対の端面に、クッション材を介在させたものとしてもよい。
【００１０】
また、複数の永久磁石は、それらの外周に、中空貫通孔の貫通方向に沿って補助永久磁石を付設することで更に磁力をアップさせる構成としてもよい。
【００１１】
さらに、花弁状の筒状体は、正ｎ角形の形状をなしたものとしてもよい。
【００１２】
さらに、永久磁石は、磁石間の隣接する側面に面取接合面が形成されたものとしてもよい。
【００１３】
また、本発明の電動式ドライバーは、請求１〜７のいずれかの項に記載の固定具用磁着補助具を、ドライバービットに装着した構成となっている。
【発明の効果】
【００１４】
本発明の固定具用磁着補助具によれば、上述した構成となっているため、永久磁石を束ねた構造体の磁束の漏れは殆どなくなり、ドライバービットの挿入される中空貫通孔に磁束を集中させることができる。このため、中空貫通孔に挿入されたドライバービット先端にも大量の磁力線が集めることができ、そのため、ステンレス製のビスなどの固定具を磁着させることができる。
【図面の簡単な説明】
【００１５】
【図１】（ａ）は本発明の一実施形態に係る固定具用磁着補助具の外観を示す斜視図、（ｂ）は同側面図である。
【図２】（ａ）は図１（ｂ）のＡ−Ａ線に対応した断面図、（ｂ）は図２（ａ）のＢ−Ｂ線に対応した、図１（ａ）の固定具用磁着補助具の断面図である。
【図３】固定具用磁着補助具の使用要領、ドライバービットが挿嵌され、先端にビスを磁着させた状態を表した縦断面図である。
【図４】固定具用磁着補助具にドライバービットが挿嵌されたときの磁束分布を示す図である。
【図５】（ａ）、（ｂ）は固定具用磁着補助具に用いられる永久磁石の模式説明図であり、（ａ）は永久磁石の磁化方向をドライバービットの軸線に対して９０度の方向とした模式図、（ｂ）は永久磁石の磁化方向の傾斜角度を９０度より小さい角度とした模式図である。
【図６】は固定具用磁着補助具に用いられる補助永久磁石の模式説明図である。
【図７】（ａ）〜(ｅ)は、固定具用磁着補助具の永久磁石の配置例を示す模式図である。
【発明を実施するための形態】
【００１６】
以下に、本発明の実施の形態について、添付図面を参照しながら説明する。
【００１７】
固定具用磁着補助具１（以下、磁着補助具１という）は、複数の永久磁石２１を花弁状に配置させて筒状体に構成したものであり、永久磁石２１の中央には中空貫通孔１３が形成されるように、隣接する永久磁石２１の同一極性の端部同士を、隙間なく束状に接合させた構造をなしている。
【００１８】
永久磁石２１と中空貫通孔１３との関係は、図２（ａ）に示したものの他に、図７のような形態が可能であり、中央の中空貫通孔１３は、望ましくは、正ｎ角形を構成しているが、そのような形状には限定されない。
【００１９】
ついで、図１および図２を参照して、磁着補助具１のさらに具体的な構造について説明する。
【００２０】
図１に示した磁着補助具１は、中央に中空貫通孔１３を有した円柱形状とされる（図１（ａ）参照）。図例の中空貫通孔１３は、正六角柱状とされ、円の中心位置に配されている。
【００２１】
この磁着補助具１は、本体ケース１０、永久磁石２１、ゴムなどの弾性材料で構成されたクッション材２２およびヨーク１５を有している。これらのうち、永久磁石２１、クッション材２２およびヨーク１５は図２に見るように、中空貫通孔１３の貫通方向に沿って配されている。
【００２２】
本体ケース１０は、磁着補助具１の円柱形状を概ね形づくる非磁性体の樹脂で製されており、上部に開口を有し、下部に中空貫通孔１３を形成するための六角開口を有した本体１１と、上部の開口を塞ぐ蓋体１２とで構成される。
【００２３】
永久磁石２１は、６個の同一形状のものが花弁の形状を保持するように、本体ケース１０の本体１１内に樹脂材料１６を充填している。個々の永久磁石２１の横断面形状は、図２（ａ）に示すように、矩形と等脚台形とを組み合わせてなる六角形状になっている。また、極性の配置も永久磁石２１間で同一であり、本図例のものは、中空貫通孔１３側がＮ極となるように配列しているが、Ｓ極、Ｎ極を逆配置としてもよい。
【００２４】
６個の永久磁石２１は、隣設された永久磁石２１の間が隙間を形成しないようにして、図例では、等脚台形の脚辺どうしが接するように、つまり脚辺に相当する両面を面取接合面２５として、これらを相互に密着させるようにして花弁状に配列されている。
【００２５】
また、複数の永久磁石２１のそれぞれにおける中空貫通孔１３と反対の端面には、クッション材２２が配設されており、これによって、中空貫通孔１３に挿入されるビット径に多少の大小があっても、その誤差を吸収して、隙間を生じないようになっている。
【００２６】
本体ケース１０の本体１１内では、６個の永久磁石２１が同一磁極が向き合うように配列されているので、同一極性どうしの反発力を生じる。そのため、永久磁石２１は、花弁の形状を崩さないように本体１１内には樹脂材料１６を充填して強固に拘束されている。
【００２７】
ついで、図３および図４を参照して、磁着補助具１の使用要領について説明する。
【００２８】
複数の永久磁石２１は、それぞれの磁化の向きを矢印で示すように、中空貫通孔１３に挿入されるドライバービット４０の軸線４３（図３参照）に対して先端４１に向かうように、傾斜させて磁化させているが、このような構成は後述するように、本発明の必須の構成ではない。
【００２９】
一般的に、ステンレス製のビスなどの固定具は磁化できないために、磁着させることはできないが、ステンレスのうちでも、オーステナイト系（ＳＵＳ３０４）のものは、通常時は非磁性材料であるが、大きい負荷を加えて変形させた場合には、マルテンサイトに変態して磁化させることができることが知られており、本発明者は、通常の建築物に使用されているＳＵＳ３０４のステンレス製のビスなどは、その頭部にドライバービット４０の先端４１を嵌め入れる挿入溝を形成する工程で、すでに、そのような変態を生じていることを知得して、本発明に到達している。
【００３０】
本磁着補助具１では、図３に示したように、その中空貫通孔１３に、強磁性体よりなるドライバービット４０が挿入されると、ドライバービット４０は磁化されて、ステンレス製のビスなどのステンレス固定具４５の頭部４６に形成されたビット挿入溝４８をドライバービット４０の先端４１に近づけると、ステンレス製のビス４５を吸着させることができる。なお、図３の符号４７はビス４５の軸部である。
【００３１】
図４に示したように、磁着補助具１にドライバービット４０が差し込まれた状態では、２点鎖線で図示したような磁力線３２が放射される磁場が形成される。なお、図３、図４には、磁極間を結ぶ軸線に沿った磁力線３１を磁力線３２とは区別して図示した。
【００３２】
すなわち、中空貫通孔１３にドライバービット４０が挿嵌された状態では、６個の永久磁石２１の磁束が中空貫通孔１３に集中してドライバービット４０に入り込み、さらにドライバービット４０に入った磁束は、先端に向けて磁着補助具１のヨーク１５の先端側に入り込む磁束ループと、基端側に入り込んで磁着補助具１のヨーク１５の後端に入り込む磁束ループを構成するので、このときドライバービット４０の先端４１に多くの磁力線３２を導くことができれば、その先端４１には、鉄製だけでなく、ステンレス製のビスでも磁着させる強い磁力を作用させることができる。
【００３３】
本発明は、複数の永久磁石を上述したように、隙間なく束状に接合させて、中央に中空貫通孔を形成して、花弁状の筒状体を構成する基本構造によって、それぞれの永久磁石から放射される磁束を中空貫通孔に集中させて強い磁場を形成するので、ドライバービット４０を磁化して、ドライバービット４０の先端４１に、ステンレス製のビスなどのステンレス固定具４５を吸着させることができたが、本発明者がさらに検討を加えたところ、永久磁石２１からドライバービット４０に入り込む磁束を、ドライバービット４０の基端４２側よりも先端４１側に向かう磁束が多くなるように偏らせれば（図３、図４の磁力線３１の方向を参照）、ドライバービット４０の先端４１にはより強い磁束密度が得られることを知得した。
【００３４】
本発明者が提案する、磁束をドライバービット４０の先端４１側に偏らせる第一の形態は、花弁状の筒状体を構成する、永久磁石２１のそれぞれの磁化の向きを、中空部貫通孔１３に挿入されるドライバービット４０の先端側に向けたもので、このような構造は、永久磁石２１の磁化の向きを、ドライバービット４０の軸線４３に対して、角度を持たせることで容易に実施できる。
【００３５】
図５は、永久磁石２１の磁化の方向を示したもので、図５（ａ）は、ドライバービット４０の軸線４３に対して、垂直、すなわち９０度の方向にしたもの、これに対して、図５（ｂ）は、永久磁石２１の磁化の方向をドライバービット４０の軸線４３に対して、Ｗだけ傾斜して着磁させたものを模式的に示している。
【００３６】
図５（ａ）のものは、永久磁石２１の磁化の方向が、ドライバービット４０の軸線４３に対して、垂直、つまり９０度に設定されているので、この態様では、永久磁石２１のＳ極とＮ極の磁極分岐点３５が中空貫通孔１３の方向に平行となり、永久磁石２１から放射された磁束は、ドライバービット４０の先端４１側、基端４２側に対して偏ることなく入り込んでいる。
【００３７】
図５（ｂ）のものは、永久磁石２１の磁化の方向が、ドライバービット４０の軸線４３に対して、傾斜した角度Ｗに設定したもので、この態様では、永久磁石２１は、Ｓ極とＮ極との境界が中空貫通孔１３の方向に平行となっておらず、ドライバービット４０の先端４１側の磁極分岐点３５がドライバービット４０の表面から遠ざかるように傾斜している。
【００３８】
永久磁石２１から放射された磁束は、ドライバービット４０の先端４１側が基端４２側より多くなっているので、その傾斜角度Ｗを変化させることで、先端４１側により大きな磁束密度が得られる最適値を探ることができる。
【００３９】
また、本発明者の検討によれば、ドライバービット４０の先端４１での磁束の大きさは、Ｓ極とＮ極の境界線の、ドライバービット４０の先端４１側の境界点（磁極分岐点３５）から、Ｎ極側の永久磁石２１の端面までの距離Ｌの長さによって概ね定まることが知見によって得られている。
【００４０】
これによれば、磁極分岐点３５がドライバービット４０の表面から遠い位置にあるほど、ドライバービット４０の先端４１に大きな磁束を集中させることができるので、より厚めの永久磁石２１を用いればドライバービット４０の先端４１で強い磁力が発生する。
【００４１】
また、図５（ｂ）に示した磁化の方向を傾斜させた構成は、磁極分岐点３５をドライバービット４０の表面から遠い位置に設ける手段としても有益である。
【００４２】
また、磁束を偏らせる第二の形態は、図６に示すように、花弁状の筒状体を構成する、永久磁石２１のそれぞれの磁化の向きを、ドライバービット４０の軸線４３に対して傾斜させる構成に加えて、それぞれの永久磁石２１の外周に、中空貫通孔１３の貫通孔の方向に沿って磁極を揃えた補助永久磁石２３を付設することで可能となる。
【００４３】
図６の形態では、複数の補助永久磁石２３は、図示したように、その磁極が中空貫通孔１３の貫通方向の沿って配され、さらにＮ極をドライバービット４０の先端４１側に配するように補助永久磁石２３を配設している。
【００４４】
このような永久磁石２１と補助永久磁石２３との組み合わせによれば、ドライバービット４０の先端４１側の磁極分岐点３５をさらに遠い位置に形成することができ、そのため、ドライバービット４０の先端４１側ではさらに強い磁力が発生する。
【００４５】
図５（ｂ）や図６に示した構成の磁着補助具１では、ドライバービット４０の軸線４３に対して、先端方向に向う傾斜角度Ｗを持った磁力線３１を多く放射するので、厚みを厚くしなくても、ドライバービット４０の先端４１で磁力を強めることができる。
【００４６】
永久磁石２１の磁化方向を、ドライバービット４０の軸線４３に対して、傾斜角度を６０度〜９０度変化させたものについて、ドライバービット４０の先端４１での磁力を計測する試験を行った。永久磁石２１としては、残留磁束密度が高い希土類磁石のネオジウム磁石を用いたが、それぞれは、２００００Ｇの磁束密度で磁化して、５０００Ｇの残留磁気密度が得られたものを、６個束ねて、６面体の花弁状の筒状体として構成したものを使用した。
【００４７】
中空貫通孔１３の出口（永久磁石２１の端部）からドライバービット４０の先端４１までの突出長が１ｍｍ、６ｍｍ、１１ｍｍ、１６ｍｍ、２１ｍｍについて試験を行った。
【００４８】
永久磁石２１からドライバービット４０の先端４１までの突出長は短いほど先端４１での磁力が強くなり、当然に突出長が１ｍｍの場合に高い磁力が発生することが確認できた。操作のしやすさを考慮すれば、上方からドライバービット４０の先端４１方向を見た場合、先端４１が磁着補助具１によって隠れない程度に突出していることが望ましく、そのため突出長が１６ｍｍ程度が必要となる。その場合にはドライバービット４０の先端４１で６０００ガウス程度の磁力を計測でき、突出長が最も長い２１ｍｍの場合でも５０００ガウス程度の磁力が発生することを確認できた。ステンレス固定具４５を磁着するのには十分であった。
【００４９】
また、それぞれの磁場角度Ｗの永久磁石２１にさらに補助永久磁石２３を付けた場合（図６に相当）の試験を行ったが、上記の試験よりもさらに高い磁力が得られた。
【００５０】
以上のように、永久磁石２１として６個のネオジウム磁石を用い、それらを隙間なく花弁状に束ねた磁着補助具１を用いることで、ドライバービット４０の先端４１を強力に磁化できることが確認できた。
【００５１】
ついで、花弁状の筒状体について、図７（ａ）〜（ｅ）を参照しながら説明する。
【００５２】
これらは、中空貫通孔１３として、断面が６角形以外の形状のものを有している。図７（ａ）（ｂ）では中空貫通孔１３が円形、図７（ｃ）では正方形、図７（ｄ）では５角形、図７（ｅ）では長方形となっている。
【００５３】
永久磁石２１としては、図７（ａ）では同一の弧状の３個の永久磁石２１が用いられ、図７（ｂ）では同一の弧状の４個の永久磁石２１が用いられている。また、図７（ｃ）（ｄ）（ｅ）では、図２（ａ）に示した永久磁石２１と同様に、断面が矩形と等脚台形を組み合わせた６角形状のものが用いられている。図７（ｃ）（ｄ）では複数の永久磁石２１が相互に同一形状となっているが、図７（ｅ）では長方形の辺長に対応するように２種の形状の永久磁石２１が用いられている。
【００５４】
図７に示した５種の形状のものも、図２に示したものと同様、隣設された永久磁石２１は面どうしが密着しているため、磁束の漏れは発生しにくく、ドライバービット４０の先端４１（図４参照）に効率よく強い磁力を持たせることができる。
【００５５】
以上に説明した種々の磁着補助具１は、電動式ドライバーなどのドライバービット４０（図３等参照）に取り付けて使用することができる。
【符号の説明】
【００５６】
１          固定具用磁着補助具（磁着補助具）
１０        本体ケース
１１        本体
１２        蓋体
１３        中空貫通孔
１５        ヨーク
１６        樹脂材料
２１        永久磁石
２２        クッション材
２３        補助永久磁石
２５        面取接合面
３１        磁力線（磁極間を結ぶ軸線）
３２        磁力線
３５        磁極分岐点
４０        ドライバービット
４１        ドライバービットの先端
４２        ドライバービットの基端
４３        軸線
４５        ステンレス固定具（ビス）
４６        頭部
４７        軸部
４８        ビット挿入溝
【国際調査報告】
2016027807.tif 000010
2016027807.tif 000011
2016027807.tif 000012
2016027807.tif 000013